(57)【特許請求の範囲】
【請求項１】
第１貫通孔および第２貫通孔を有するケース、
光軸が前記第１貫通孔の中心と一致するように前記ケースの裏側に配置される撮像装置、および
前記ケースの表側に配置される焦点切換機構を備え、
前記撮像装置は、被写界の光学像を受ける受光ユニット、前記受光ユニットの上に設けられるレンズユニット、第１レバーが第１部分に形成された側面と第３貫通孔とを有し、前記第３貫通孔の中心が前記第１貫通孔の中心と一致した状態で摺動できるように前記受光ユニットと前記レンズユニットとの間に挿入される第１リング、および弾性の外力を上方から前記レンズユニットに加える第１弾性機構を含み、
前記焦点切換機構は、舌片が第２部分に形成されかつ前記第２貫通孔を通して前記第１レバーと係合される第２レバーが第３部分に形成された側面と第４貫通孔とを有し、前記第４貫通孔の中心が前記第１貫通孔の中心と一致した状態で摺動できるように前記ケースに設けられる第２リング、および前記ケースと前記舌片との間に設けられる第２弾性機構を含み、
前記第１リングは第１凸部が形成された上面を有し、前記レンズユニットは第２凸部が形成された下面を有し、前記舌片は第３凸部が形成された下面を有し、前記第２弾性機構は上方に突出する第４凸部が形成された最上部を有し、
前記第１凸部は、前記第２レバーが第１モード位置にあるとき前記第２凸部との非対向位置に配置される一方、前記第２レバーが第２モード位置にあるとき前記第２凸部との対向位置に配置され、
前記第３凸部は、前記第２レバーが前記第１モード位置にあるとき前記第４凸部の前方に配置される一方、前記第２レバーが前記第２モード位置にあるとき前記第４凸部の後方に配置され、
前記第３凸部および前記第４凸部の一方は、前記第１凸部が前記対向位置から前記非対向位置に遷移するときに前記第３凸部および前記第４凸部の他方に接触する第１面と、前記第１凸部が前記非対向位置から前記対向位置に遷移するときに前記第３凸部および前記第４凸部の他方に接触する第２面とを有し、前記第１面の角度は前記第２面の角度よりも大きい、カメラ装置。
【請求項２】
前記第１弾性機構は、前記受光ユニットによって支持され、前記レンズユニットの周辺部分を上方から覆う第１ホルダ、および前記レンズユニットの周辺部分と前記第１ホルダとの間に挿入される第１弾性体を含む、請求項１記載のカメラ装置。
【請求項３】
前記第２弾性機構は、前記第４凸部が形成された上面を有する板バネ、および前記板バネを支持するリブを含む、請求項１または２記載のカメラ装置。
【請求項４】
前記焦点切換機構は、前記ケースによって支持され、前記第２リングの周辺部分を上方から覆う第２ホルダをさらに含む、請求項１ないし３のいずれかに記載のカメラ装置。
【請求項５】
請求項１ないし４のいずれかに記載のカメラ装置を備える、携帯通信端末。
【発明の詳細な説明】
【技術分野】
【０００１】
この発明は、カメラ装置に関し、特にたとえば携帯通信端末に適用され、貫通孔が形成されたケースの裏側に配置される撮像装置と、ケースの表側に配置される焦点切換機構とを有する、カメラ装置に関する。
【背景技術】
【０００２】
従来のこの種の装置の一例が、特許文献１に開示されている。この従来技術によれば、レンズが取り付けられたマクロ繰出し環の外周にネジ山が形成される一方、ホルダの内周にネジ溝が形成される。マクロ繰出し環は、ネジ山とネジ溝との螺合によってホルダに装着される。
【０００３】
キャビネットのリング収納部には、操作リングが収納される。マクロ繰出し環は、レンズ回転レバーを介して、この操作リングと連結される。操作リングには外方に突出する爪が設けられ、リング収納部の内壁には突起が形成される。
【０００４】
したがって、操作リングつまりマクロ繰出し環を回転させると、レンズが上下するとともに、爪が突起に接触する。これによって、撮影モードが通常撮影モードと接写撮像モードとの間で切り換えられ、モード切り換え時にクリック感が生じる。
【特許文献１】特開２００４−１６３８３０号公報［G02B 7/105, 7/08, G03B 3/02, 13/32, 17/02］
【発明の開示】
【発明が解決しようとする課題】
【０００５】
しかし、マクロ繰出し環を回転させるために必要な外力が回転方向によって異なる場合、従来技術では、モード切り換え時に生じるクリック感が相違する。このようなクリック感の相違は、操作者に違和感を覚えさせる。
【０００６】
それゆえに、この発明の主たる目的は、モード切り換え時に生じるクリック感の相違を抑制することができる、カメラ装置を提供することである。
【課題を解決するための手段】
【０００７】
請求項１の発明に従うカメラ装置(10)は、第１貫通孔(H6)および第２貫通孔(H7)を有するケース(12)、光軸が第１貫通孔(H6)の中心と一致するようにケース(12)の裏側に配置される撮像装置(20)、およびケース(12)の表側に配置される焦点切換機構(22)を備え、撮像装置(20)は、被写界の光学像を受ける受光ユニット(30)、受光ユニット(30)の上に設けられるレンズユニット(26)、第１レバー(28d)が第１部分に形成された側面と第３貫通孔(H3)とを有し、第３貫通孔(H3)の中心が第１貫通孔(H6)の中心と一致した状態で摺動できるように受光ユニット(30)とレンズユニット(26)との間に挿入される第１リング(28)、および弾性の外力を上方からレンズユニット(26)に加える第１弾性機構(24, 32)を含み、焦点切換機構(22)は、舌片(16e)が第２部分に形成されかつ第２貫通孔(H7)を通して第１レバー(28d)と係合される第２レバー(16g)が第３部分に形成された側面と第４貫通孔(H4)とを有し、第４貫通孔(H4)の中心が第１貫通孔(H6)の中心と一致した状態で摺動できるようにケース(12)に設けられる第２リング(16)、およびケース(12)と舌片(16e)との間に設けられる第２弾性機構(12b, 12c, 18)を含み、第１リング(28)は第１凸部(28b)が形成された上面を有し、レンズユニット(26)は第２凸部(26d)が形成された下面を有し、舌片(16e)は第３凸部(16f)が形成された下面を有し、第２弾性機構(12b, 12c, 18)は上方に突出する第４凸部(18b)が形成された最上部を有し、第１凸部(28b)は、第２レバー(16g)が第１モード位置にあるとき第２凸部(26d)との非対向位置に配置される一方、第２レバー(16g)が第２モード位置にあるとき第２凸部(26d)との対向位置に配置され、第３凸部(16f)は、第２レバー(16g)が第１モード位置にあるとき第４凸部(18b)の前方に配置される一方、第２レバー(16g)が第２モード位置にあるとき第４凸部(18b)の後方に配置され、第３凸部(16f)および第４凸部(18b)の一方は、第１凸部(28b)が対向位置から非対向位置に遷移するときに第３凸部(16f)および第４凸部(18b)の他方に接触する第１面(SL3)と、第１凸部(28b)が非対向位置から対向位置に遷移するときに第３凸部(16f)および第４凸部(18b)の他方に接触する第２面(SL4)とを有し、第１面(SL3)の角度は第２面(SL4)の角度よりも大きい。
【０００８】
ケース(12)は、第１貫通孔(H6)および第２貫通孔(H7)を有する。撮像装置(20)は、光軸が第１貫通孔(H6)の中心と一致するように、ケース(12)の裏側に配置される。焦点切換機構(22)は、ケース(12)の表側に配置される。
【０００９】
撮像装置(20)を形成する受光ユニット(30)は、被写界の光学像を受ける。受光ユニット(30)の上には、レンズユニット(26)が設けられる。第１リング(28)は、第１レバー(28d)が第１部分に形成された側面と、第３貫通孔(H3)とを有する。かかる第１リング(28)は、第３貫通孔(H3)の中心が第１貫通孔(H6)の中心と一致した状態で摺動できるように、受光ユニット(30)とレンズユニット(26)との間に挿入される。第１弾性機構(24, 32)は、弾性の外力を上方からレンズユニット(26)に加える。
【００１０】
焦点切換機構(22)を形成する第２リング(16)は、舌片(16e)が第２部分に形成されかつ第２貫通孔(H7)を通して第１レバー(28d)と係合される第２レバー(16g)が第３部分に形成された側面と、第４貫通孔(H4)とを有する。かかる第２リング(16)は、第４貫通孔(H4)の中心が第１貫通孔(H6)の中心と一致した状態で摺動できるように、ケース(12)に設けられる。第２弾性機構(12b, 12c, 18)は、ケース(12)と舌片(16e)との間に設けられる。
【００１１】
ここで、第１リング(28)は第１凸部(28b)が形成された上面を有し、レンズユニット(26)は第２凸部(26d)が形成された下面を有し、舌片(16e)は第３凸部(16f)が形成された下面を有し、第２弾性機構(12b, 12c, 18)は上方に突出する第４凸部(18b)が形成された最上部を有する。
【００１２】
第１凸部(28b)は、第２レバー(16g)が第１モード位置にあるとき第２凸部(26d)との非対向位置に配置される一方、第２レバー(16g)が第２モード位置にあるとき第２凸部(26d)との対向位置に配置される。第３凸部(16f)は、第２レバー(16g)が第１モード位置にあるとき第４凸部(18b)の前方に配置される一方、第２レバー(16g)が第２モード位置にあるとき第４凸部(18b)の後方に配置される。
【００１３】
第３凸部(16f)および第４凸部(18b)の一方は、第１面(SL3)および第２面(SL4)を有する。第１面(SL3)は、第１凸部(28b)が対向位置から非対向位置に遷移するときに第３凸部(16f)および第４凸部(18b)の他方に接触する面である。第２面(SL4)は、第１凸部(28b)が非対向位置から対向位置に遷移するときに第３凸部(16f)および第４凸部(18b)の他方に接触する面である。第１面(SL3)の角度は、第２面(SL4)の角度よりも大きい。
【００１４】
第２レバー(16g)が第１モード位置にあるとき、つまり第１凸部(28b)が第２凸部(26d)との非対向位置に配置されるときは、第１弾性機構(24, 32)の復元力によってレンズユニット(26)が下方向に押圧される。これによって、第１モードが設定される。第２レバー(16g)が第２モード位置にあるとき、つまり第１凸部(28b)が第２凸部(26d)との対向位置に配置されるときは、第１弾性機構(24, 32)の復元力に抗してレンズユニット(26)が持ち上げられる。これによって、第２モードが設定される。
【００１５】
第２レバー(16g)を第１モード位置から第２モード位置に遷移させるときは、第１弾性機構(32)および第２弾性機構(12b, 12c, 18)の復元力が、遷移操作の妨げとなる。これに対して、第２レバー(16g)を第２モード位置から第１モード位置に遷移させるときは、第２弾性機構(12b, 12c, 18)の復元力が遷移操作の妨げとなる一方、第１弾性体(24, 32)の復元力が遷移操作の助けとなる。
【００１６】
ただし、第２レバー(16g)を第２モード位置から第１モード位置に遷移させるときに注目される第１面(SL3)の角度は、第２レバー(16g)を第１モード位置から第２モード位置に遷移させるときに注目される第２面(SL4)の角度よりも大きい。
【００１７】
したがって、第１モード位置から第２モード位置への遷移操作のときに生じるクリック感と、第２モード位置から第１モード位置への遷移操作のときに生じるクリック感との相違が抑制される。
【００１８】
請求項２の発明に従うカメラ装置(10)は、請求項１に従属し、第１弾性機構(24, 32)は、受光ユニット(30)によって支持され、レンズユニット(26)の周辺部分を上方から覆う第１ホルダ(24)、およびレンズユニット(26)の周辺部分と第１ホルダ(24)との間に挿入される第１弾性体(32)を含む。
【００１９】
請求項３の発明に従うカメラ装置(10)は、請求項１または２に従属し、第２弾性機構(12b,12c, 18)は、第４凸部(18b)が形成された上面を有する板バネ(18)、および板バネ(18)を支持するリブ(12b, 12c)を含む。
【００２０】
請求項４の発明に従うカメラ装置(10)は、請求項１ないし３のいずれかに従属し、焦点切換機構(22)は、ケース(12)によって支持され、第２リング(16)の周辺部分を上方から覆う第２ホルダ (14)をさらに含む。
【発明の効果】
【００２１】
この発明によれば、第２レバーを第２モード位置から第１モード位置に遷移させるときに注目される第１面の角度は、第２レバーを第１モード位置から第２モード位置に遷移させるときに注目される第２面の角度よりも大きい。したがって、第１モード位置から第２モード位置への遷移操作のときに生じるクリック感と、第２モード位置から第１モード位置への遷移操作のときに生じるクリック感との相違が抑制される。
【００２２】
この発明の上述の目的，その他の目的，特徴および利点は、図面を参照して行う以下の実施例の詳細な説明から一層明らかとなろう。
【発明を実施するための最良の形態】
【００２３】
この実施例の携帯通信端末１０を形成する上側筐体の分解状態を、図１に示す。上側筐体は、ケース１２，撮像装置２０および焦点切換機構２２を備える。撮像装置２０はケース１２の裏側に設けられ、焦点切換機構２２はケース１２の表側に設けられる。焦点切換機構２２は、飾りリングホルダ１４，飾りリング１６および板バネ１８によって構成される。また、撮像装置２０は、図２に示すように、レンズホルダ２４，レンズユニット２６，モード切換リング２８，受光ユニット３０およびコイルバネ３２によって構成される。
【００２４】
図２を参照して、レンズホルダ２４は、真円状の貫通孔Ｈ１が形成されたホルダリング２４ａを有する。ホルダリング２４ａの外周面には、下方向に突出する４つの脚２４ｂ，２４ｂ，…が、互いに同じ距離を隔てて一体成形される。また、ホルダリング２４の下面は、平坦に形成される。
【００２５】
受光ユニット２６は、上下方向に延びる真円状の貫通孔Ｈ２が形成された円筒部２６ａを有する。レンズ２６ｂは貫通孔Ｈ２の内部に取り付けられ、円筒部２６ａの下端にはフランジ２６ｃが一体成形される。円筒部２６ａの外径はホルダリング２４ａの内径と一致し、フランジ２６ｃの外径はホルダリング２４ａの外径と一致する。フランジ２６ｃの下面には、３つの凸部２６ｄ，２６ｄ，…が、互いに同じ距離を隔てて形成される。
【００２６】
モード切換リング２８は、真円状の貫通孔Ｈ３が形成された板状のリング本体２８ａを有する。リング本体２８ａの外径はフランジ２６ｃの外径と一致する。リング本体２８ａの上面には、互いに同じ距離を隔てて３つの凸部２８ｂ，２８ｂ，…が形成される。リング本体２８ａの外側面の或る部分には、リング本体２８ｄの厚みと同じ厚みを有し、かつリング本体２８ｄの上面および下面と平行に突出する舌片２８ｃが、一体成形される。舌片２８ｃの上面には、円筒状のモード切換レバー２８ｄが設けられる。
【００２７】
受光ユニット３０は、矩形状の基板３０ａを有する。基盤３０ａの上面中央には円筒部３０ｂが形成され、この円筒部３０ｂの中央には受光素子３０ｄが設けられる。円筒部３０ｄの周囲には、４つの凹部３０ｃ，３０ｃ…が互いに同じ距離を隔てて形成される。凹部３０ｃ，３０ｃ，…の各々の形状は上述の脚２４ｂ，２４ｂ，…の各々の形状と対応し、凹部３０ｃ，３０ｃ，…を結んで描かれる円は脚２４ｂ，２４ｂ，…を結んで描かれる円と一致する。円筒部３０ｂの径はリング本体２８ａの内径と一致し、円筒部３０ｂの高さはリング本体２８ａの厚みと一致する。
【００２８】
モード切換リング２８は、リング本体２８ａが円筒部３０ｂに嵌合した状態で、受光ユニット３０の上に配置される。レンズユニット２６は、凸部２６ｄ，２６ｄ，…がリング本体２８ａの上面に当接し、かつ凸部２８ｂ，２８ｂ，…がフランジ２６ｃの下面に当接するように、モード切換リング２８の上に配置される。レンズホルダ２４は、ホルダリング２４ａが円筒部２６ａと嵌合し、かつ脚２４ｂ，２４ｂ，…が凹部３０ｃ，３０ｃ，…と嵌合するように、レンズユニット２６の上に配置される。この結果、貫通孔Ｈ１〜Ｈ３の中心および受光素子３０ｄの中心は、いずれも光軸Ｘと一致する。
【００２９】
ホルダリング２４ａの下面とフランジ２６ｃの上面との間には、ホルダリング２４ａとともに弾性機構を形成する４つのコイルバネ３２，３２，…が、互いに同じ距離を隔てて挿入される。モード切換リング２８，レンズユニット２６およびレンズホルダ２４が受光ユニット３０の上に実装されたとき、コイルバネ３２は、程よく圧縮される。レンズユニット２６は、コイルバネ３２，３２，…の復元力によって下方向に押圧される。
【００３０】
なお、ホルダリング２４，レンズユニット２６（レンズ２６ｂを除く）、モード切換リング２８および受光ユニット３０の基板３０ａは、合成樹脂を材料とする。また、コイルバネ３２は、金属を材料とする。
【００３１】
図７（Ａ）および図７（Ｂ）を参照して、凸部２６ｄ，２６ｄ，…の各々は、フランジ２６ｃを上方から眺めて時計回り方向に面する斜面ＳＬ１を有する。また、凸部２８ｂ，２８ｂ，…の各々は、リング本体２８ａを上方から眺めて反時計回り方向に面する斜面ＳＬ２を有する。さらに、斜面ＳＬ１およびＳＬ２は、互いに同じ角度（たとえば３０°）を有する。
【００３２】
図７（Ａ）に示す状態でモード切換レバー２８ｄを反時計回り方向に摺動させると、斜面ＳＬ２が斜面ＳＬ１に当接する。モード切換レバー２８ｄを反時計回り方向にさらに摺動させると、図７（Ｂ）に示すように、凸部２６ｄが凸部２８ｂに乗り上げ、かつコイルバネ３２が圧縮される。
【００３３】
また、図７（Ｂ）に示す状態でモード切換レバー２８ｃを時計回り方向に摺動させると、斜面ＳＬ２が斜面ＳＬ１に当接し、コイルバネ３２が伸長される。凸部２８ｂはその後、図７（Ａ）に示す位置に到達する。
【００３４】
レンズユニット２６は、このようなモード切換レバー２８ｄの摺動操作に応じて上下する。これによって、撮影モードが通常モードとマクロモードとの間で切換される。図７（Ａ）に示すように凸部２８ｂが凸部２６ｄと対向しないときの撮影モードが通常モードであり、図７（Ｂ）に示すように凸部２８ｂが凸部２６ｄと対向するときの撮影モードがマクロモードである。
【００３５】
図３（Ａ）および図３（Ｂ）を参照して、飾りリング１６は、真円状の貫通孔Ｈ４が形成されたリング本体１６ａを有する。リング本体１６ａの上面の或る位置には切り欠き１６ｂが形成され、この切り欠き１６ｂを覆うように爪１６ｃが設けられる。リング本体１６ａの下面には、フランジ１６ｄが一体成形される。
【００３６】
フランジ１６ｄの外側面の或る部分には、フランジ１６ｄの厚みと同じ厚みを有し、かつフランジ１６ｄの上面および下面と平行に突出する舌片１６ｅが、一体成形される。舌片１６ｅの下面には、リング本体１６ａの径方向に延びる線状の凸部１６ｆが形成される。フランジ１６ｄの外側面の他の部分には、斜め下方向に向けて突出するモード切換レバー１６ｇが一体成形される。このモード切換レバー１６ｇは、リング本体１６ａの周方向に並ぶ２つの腕１６ｈおよび１６ｈを有する。
【００３７】
図４（Ａ）および図４（Ｂ）を参照して、飾りリングホルダ１４は、馬蹄形状を有する。貫通孔Ｈ５はアール状の外縁の近傍に形成され、この貫通孔Ｈ５の径は図３（Ａ）に示すリング本体１６ａの外径と一致する。飾りリングホルダ１４の下面には、３つの係合爪１４ａ，１４ａ，…が外縁に沿って形成される。さらに、飾りリングホルダ１４の下面の貫通孔Ｈ５近傍には、帯状の舌片収納部１４ｂが形成される。舌片収納部１４ｂの表面は平坦に形成され、舌片収納部１４ｂの深さは図３（Ａ）に示す舌片１６ｅの厚みとほぼ一致する。
【００３８】
図５（Ａ）および図５（Ｂ）を参照して、板バネ１８は、バネ本体１８ａを有する。バネ本体１８ａの中央部分は、エンボス加工を施される。これによって、バネ本体１８ａの上面に凸部１８ｂが形成される一方、バネ本体１８ａの下面に凹部１８ｃが形成される。バネ本体１８ａの長さ方向一方端には切り欠き１８ｄが形成され、バネ本体１８ａの長さ方向他方端には切り欠き１８ｅが形成される。また、バネ本体１８ａは、切り欠き１８ｅの近傍で下方向に９０°折り曲げられた屈曲部１８ｆと、この屈曲部１８ｆと切り欠き１８ｅとの間で屈曲部１８ｆの折り曲げ方向と逆方向に９０°折り曲げられた屈曲部１８ｇとを有する。
【００３９】
図６（Ａ）および図６（Ｂ）を参照して、ケース１２は、貫通孔Ｈ６およびＨ７を有する。貫通孔Ｈ６は、光軸Ｘをケース１２の表側から裏側に通すために真円状に形成される。貫通孔Ｈ７は、飾りリング１６を形成するモード切換レバー１６ｇをケース１２の表側から裏側に通すために矩形状に形成される。
【００４０】
貫通孔Ｈ６の近傍には、帯状のバネ収納部１２ａが形成される。高さ調整リブ１２ｂはバネ収納部１２ａの長さ方向一方端の近傍に形成され、高さ調整リブ１２ｃはバネ収納部１２ａの長さ方向他方端の近傍に形成される。高さ調整リブ１２ｂの上面には、突起１２ｄが形成される。バネ収納部１２ａの長さ方向他方端の内壁には、上下方向に延びる爪１２ｅが形成される。ケース１２の上面にはまた、飾りリングホルダ１４の係合爪１４ａ，１４ａ，…にそれぞれ対応して、係合孔１２ｆ，１２ｆ，…が形成される。
【００４１】
なお、ケース１２，飾りリングホルダ１４および飾りリング１６はいずれも合成樹脂を材料とする一方、板バネ１８は金属を材料とする。
【００４２】
図１および図３〜図６を参照して、板バネ１８は、バネ収納部１２ａに収納される。このとき、板バネ１８の切り欠き１８ｄがバネ収納部１２ａの突起１２ｄと係合し、板バネ１８の切り欠き１８ｅがバネ収納部１２ａの爪１２ｅと係合する。板バネ１８は、高さ調整リブ１２ｂおよび１２ｃの上に横たわる。
【００４３】
なお、リブ１２ｃの高さは、屈曲部１８ｆから屈曲部１８ｇまでの距離とほぼ一致する。また、リブ１２ｂからリブ１２ｃまでの距離は、切り欠き１８ｄから屈曲部１８ｆまでの距離とほぼ一致する。さらに、リブ１２ｃから爪１２ｅまでの距離は、屈曲部１８ｇから切り欠き１８ｅまでの距離とほぼ一致する。また、板バネ１８と高さ調整リブ１２ｂ，１２ｃとによって、弾性機構が形成される。
【００４４】
板バネ１８がバネ収納部１２ａに収納された後、飾りリング１６は、貫通孔Ｈ４の中心が貫通孔Ｈ６の中心と一致し、かつ飾りリング１６のモード切換レバー１６ｇがケース１２の貫通孔Ｈ７を貫通するように、ケース１２の表側に装着される。これによって、飾りリング１６の舌片１６ｅは、板バネ１８の上に配置される。
【００４５】
飾りリングホルダ１４は、飾りリング１６の装着後に、ケース１２の表側に装着される。このとき、飾りリングホルダ１４の係合爪１４ａ，１４ａ，…がケース１２の係合孔１２ｆ，１２ｆ，…にそれぞれ係合され、飾りリング１６の舌片１６ｅが舌片収納部１４ｂに収納される。
【００４６】
図８（Ａ）および図８（Ｂ）を参照して、凸部１６ｆは、舌片１６ｅを上方から眺めて時計回り方向に面する斜面ＳＬ３と反時計回り方向に面する斜面ＳＬ４とを有する。また、凸部１８ｂは、バネ本体１８ａを上方から眺めて時計回り方向に面する斜面ＳＬ５と反時計回り方向に面する斜面ＳＬ６とを有する。斜面ＳＬ３の角度（たとえば６０°）は、斜面ＳＬ４の角度（たとえば３０°）よりも大きい。これに対して、斜面ＳＬ５およびＳＬ６は、互いに同じ角度（たとえば３０°）を有する。
【００４７】
図８（Ａ）に示すように凸部１６ｆが凸部１８ｂの前方（左側）に位置する状態で、飾りリング１６を反時計回り方向に摺動させると、斜面ＳＬ４が斜面ＳＬ５に当接する。飾りリング１６を反時計回り方向にさらに摺動させると、凸部１６ｆは、図８（Ｂ）に示すように凸部１８ａに対抗する位置に達する。凸部１８ａは、バネ本体１８ａの復元力に抗して下方に沈み込む。飾りリング１６をさらに摺動させると、図８（Ｃ）に示すように凸部１６ｆは凸部１８ｂの後方（右側）に移動する。
【００４８】
図８（Ｃ）に示す状態で、飾りリング１６を時計回り方向に摺動させると、斜面ＳＬ３が斜面ＳＬ６に当接する。飾りリング１６を時計回り方向にさらに摺動させると、凸部１６ｆは、図８（Ｂ）に示すように凸部１８ａとの対抗位置に達し、その後に図８（Ａ）に示す位置に達する。
【００４９】
図１，図２および図６を参照して、撮像装置２０は、貫通孔Ｈ１〜Ｈ３の各々の中心が貫通孔Ｈ４の中心と一致し、かつモード切換レバー２８ｄが飾りリング１６のモード切換レバー１６ｇと係合するように、ケース１２の裏側に装着される。モード切換レバー２８ｄが、モード切換レバー１６ｇの腕１６ｈおよび１６ｈによって挟持される。
【００５０】
飾りリング１６が図８（Ａ）に示す状態をとるとき、モード切換リング２８は図７（Ａ）に示す状態をとる。また、飾りリング１６が図８（Ｂ）に示す状態をとるとき、モード切換リング２８は図７（Ｂ）に示す状態をとる。したがって、図８（Ａ）に示すように凸部１６ｆを凸部１８ｂの前方に配置することで、通常モードが設定される。また、図８（Ｃ）に示すように凸部１６ｆを凸部１８ｂの後方に配置することで、マクロモードが設定される。
【００５１】
以上の説明から分かるように、ケース１２は、貫通孔Ｈ６およびＨ７を有する。撮像装置２０は、光軸Ｘが貫通孔Ｈ６の中心と一致するように、ケース１２の裏側に配置される。焦点切換機構２２は、ケース１２の表側に配置される。
【００５２】
撮像装置２０を形成する受光ユニット３０は、被写界の光学像を受ける。受光ユニット３０の上には、レンズユニット２６が設けられる。レンズホルダ２４は、受光ユニット３０によって支持され、レンズユニット２６の周辺部分を上方から覆う。レンズホルダ２４とともに弾性機構を構成するコイルバネ３２は、レンズユニット２６の周辺部分とレンズホルダ２４との間に挿入される。モード切換リング２８は、モード切換レバー２８ｄが或る部分に形成された側面と、貫通孔Ｈ３とを有する。かかるモード切換リング２８は、貫通孔Ｈ３の中心が貫通孔Ｈ６の中心と一致した状態で摺動できるように、受光ユニット３０とレンズユニット２６との間に挿入される。
【００５３】
焦点切換機構２２を形成する飾りリング１６は、舌片１６ｅが或る部分に形成され、かつ貫通孔Ｈ７を通してモード切換レバー２８ｄと係合されるモード切換レバー１６ｇが他の部分に形成された側面と、貫通孔Ｈ４とを有する。かかる飾りリング１６は、貫通孔Ｈ４の中心が貫通孔Ｈ６の中心と一致した状態で摺動できるように、ケース１２に設けられる。飾りリングホルダ１４は、ケース１２によって支持され、飾りリング１６の周辺部分を上方から覆う。高さ調整リブ１２ｂおよび１２ｃとともに弾性機構を構成する板バネ１８は、ケース１２と舌片１６ｅとの間に挿入される。
【００５４】
ここで、モード切換リング２８は凸部２８ｂが形成された上面を有し、レンズユニット２６は凸部２６ｄが形成された下面を有する。また、舌片１６ｅは凸部１６ｆが形成された下面を有し、板バネ１８は凸部１８ｂが形成された上面を有する。
【００５５】
図７（Ａ）および図７（Ｂ）に示すように、凸部２８ｂは、モード切換レバー１６ｇおよび２８ｄが通常モード位置にあるとき凸部２６ｄとの非対向位置に配置される一方、モード切換レバー１６ｇおよび２８ｄがマクロモード位置にあるとき凸部２６ｄとの対向位置に配置される。
【００５６】
また、図８（Ａ）および図８（Ｂ）に示すように、凸部１６ｆは、モード切換レバー１６ｇおよび２８ｄが通常モード位置にあるとき凸部１８ｂの前方に配置される一方、モード切換レバー１６ｇおよび２８ｄがマクロモード位置にあるとき凸部１８ｂの後方に配置される。
【００５７】
凸部１６ｆは、斜面ＳＬ３およびＳＬ４を有する。斜面ＳＬ３は、凸部２８ｂが対向位置から非対向位置に遷移するときに凸部１８ｂに接触する面である。斜面ＳＬ４は、凸部２８ｂが非対向位置から対向位置に遷移するときに凸部１８ｂに接触する面である。斜面ＳＬ３の角度は、斜面ＳＬ４の角度よりも大きい。
【００５８】
モード切換レバー１６ｇおよび２８ｄが通常モード位置にあるとき、つまり凸部２８ｂが凸部２６ｄとの非対向位置に配置されるときは、コイルバネ３２の復元力によってレンズユニット２６が下方向に押圧される。これによって、通常モードが設定される。モード切換レバー１６ｇおよび２８ｄがマクロモード位置にあるとき、つまり凸部２８ｂが凸部２６ｄとの対向位置に配置されるときは、コイルバネ３２の復元力に抗してレンズユニット２６が持ち上げられる。これによって、マクロモードが設定される。
【００５９】
モード切換レバー１６ｇおよび２８ｄを通常モード位置からマクロモード位置に遷移させるときは、コイルバネ３２および板バネ１８の復元力が、遷移操作の妨げとなる。これに対して、モード切換レバー１６ｇおよび２８ｄをマクロモード位置から通常モード位置に遷移させるときは、板バネ１８の復元力が遷移操作の妨げとなる一方、コイルバネ３２の復元力が遷移操作の助けとなる。
【００６０】
ただし、モード切換レバー１６ｇをマクロモード位置から通常モード位置に遷移させるときに注目される斜面ＳＬ３の角度は、モード切換レバー１６ｇを通常モード位置からマクロモード位置に遷移させるときに注目される斜面ＳＬ４の角度よりも大きい。
【００６１】
これによって、通常モード位置からマクロモード位置への遷移操作のときに生じるクリック感と、マクロモード位置から通常モード位置への遷移操作のときに生じるクリック感との相違が抑制される。
【００６２】
なお、この実施例では、飾りリング１６に設けられた凸部１６ｆの斜面ＳＬ３およびＳＬ４の角度を互いに異ならせるようにしているが、板バネ１８に設けられた凸部１８ｂの斜面ＳＬ５およびＳＬ６の角度を互いに異ならせるようにしてもよい。
【図面の簡単な説明】
【００６３】
【図１】この実施例のカメラ付き携帯電話機の一部を示す分解斜視図である。
【図２】図１実施例に適用される撮像装置を示す分解斜視図である。
【図３】（Ａ）は図１実施例に適用される飾りリングを示す上側斜視図であり、（Ｂ）は図１実施例に適用される飾りリングを示す下側斜視図である。
【図４】（Ａ）は図１実施例に適用される飾りリングホルダを示す上側斜視図であり、（Ｂ）は図１実施例に適用される飾りリングホリダを示す下側斜視図である。
【図５】（Ａ）は図１実施例に適用される板バネを示す上側斜視図であり、（Ｂ）は図１実施例に適用される板バネを示す下側斜視図である。
【図６】（Ａ）は図１実施例に適用されるケースを示す上側斜視図であり、（Ｂ）は図１実施例に適用されるケースを示す下側斜視図である。
【図７】（Ａ）は通常モードが設定されたときのモード切換リングおよびレンズユニットの位置関係を示す図解図であり、（Ｂ）はマクロモードが設定されたときのモード切換リングおよびレンズユニットの位置関係を示す図解図である。
【図８】（Ａ）は通常モードが設定されたときの飾りリングおよび板バネの位置関係を示す図解図であり、（Ｂ）はモード切換の途中での飾りリングおよび板バネの位置関係を示す図解図であり、（Ｃ）はマクロモードが設定されたときの飾りリングおよび板バネの位置関係を示す図解図である。
【符号の説明】
【００６４】
１０  …携帯通信端端末
１２  …ケース
１４  …飾りリングホルダ
１６  …飾りリング
１８  …板バネ
２０  …撮像装置
２２  …焦点切換機構
２４  …レンズホルダ
２６  …レンズユニット
２８  …モード切換リング
３０  …受光ユニット
【図１】
0004707554.tif 000002
【図２】
0004707554.tif 000003
【図３】
0004707554.tif 000004
【図４】
0004707554.tif 000005
【図５】
0004707554.tif 000006
【図６】
0004707554.tif 000007
【図７】
0004707554.tif 000008
【図８】
0004707554.tif 000009